(57)【要約】  【課題】ハンドルを軽く触れるだけで、マイクロスイッチが入り、それと連動して扉側又は、ヒンジトップ側に設けられた歯車付きヒンジピンモーターが回転し、自動的に扉の開閉が行える冷蔵庫の扉開閉装置を提供することを目的とする。  【解決手段】ハンドル９の手掛け部１０を手前に軽く引くことによりハンドル９は支点１１を軸に回転してスイッチ押部１２が可動し、ハンドル内部のマイクロスイッチ１３が入り、それと連動して扉６の枢動軸側に設けられた歯車付きヒンジピンモーター１６が回転し、歯車の噛み合わせにより自動的に扉６の開閉が可能となる。【選択図】図３
2005299314.tif 000002
【特許請求の範囲】
【請求項１】
扉枠部材と扉パネル及び断熱材とから構成され、冷蔵庫本体前面に、枢動軸を中心として回動可能に取り付けられた枢支回動式の扉であって、前記扉に手掛部と支点とスイッチ押部を有するハンドルと、前記扉の開閉時に、前記手掛部を手前に引くことにより、前記ハンドルは支点を軸に回転し、スイッチ押部の可動により、接点が入り・切りするマイクロスイッチを有するハンドル本体と、前記枢動軸側の冷蔵庫扉内部に前記マイクロスイッチの入り・切りにより駆動する歯車付きヒンジピンモーターとその相対する位置に前記歯車付きヒンジピンモーターの歯車部が嵌め合う穴が設けられたヒンジトップを有する冷蔵庫の扉開閉装置。
【請求項２】
扉枠部材と扉パネル及び断熱材とから構成され、冷蔵庫本体前面に、枢動軸を中心として回動可能に取り付けられた枢支回動式の扉であって、前記扉に手掛部と支点とスイッチ押部を有するハンドルと、前記扉の開閉時に、前記手掛部を手前に引くことにより、前記ハンドルは支点を軸に回転し、スイッチ押部の可動により、接点が入り・切りするマイクロスイッチを有するハンドル本体と、前記枢動軸側のヒンジトップ部に前記マイクロスイッチの入り・切りにより駆動する歯車付きヒンジピンモーターとその相対する位置に前記歯車付きヒンジピンモーターの歯車部が嵌め合う凹形状が設けられた扉を有する冷蔵庫の扉開閉装置。
【請求項３】
前記歯車付きヒンジピンモーターが正回転及び逆回転することで、前記扉が自動的に開及び閉できる請求項１または２記載の冷蔵庫の扉開閉装置。
【請求項４】
前記冷蔵庫扉内部又は、前記ヒンジトップ部に歯車付きヒンジピンモーターへの断熱材の浸入を防止するモーター収納箱或いはモーター固定部を設けた請求項１から３のいずれか一項に記載の冷蔵庫の扉開閉装置。
【発明の詳細な説明】
【技術分野】
【０００１】
本発明は冷蔵庫の扉開閉装置に関するものである。
【背景技術】
【０００２】
従来、市販されている冷蔵庫には複数の扉が備わっており、そのうちの少なくとも一つの扉は枢支回動式になっていて、その扉の片側にある枢動軸を中心として開位置と閉位置との間を回動するようになっている。この枢支回動式扉の内側表面には一つかそれ以上の収容棚が固定、又は、取外し自在に取り付けられていて、ビン類や缶詰類、小容器類が収納できるようになっている。又、各扉には磁気ガスケットが取り付けられていて、その扉が冷蔵室に連なる開口を閉じていると、当該扉と冷蔵庫の前縁との間にはほぼ気密シ−ルが画成されて、冷蔵庫内の冷気が外部に逃げないようになっている。当業者には周知のように、前記磁気ガスケットは、扉を密閉させておくのに必要な磁気吸引力を醸し出す永久磁石が埋設された構成になっている（例えば、特許文献１参照）。
【０００３】
ところが、冷蔵庫扉を開ける際に、磁気ガスケットが扉と冷蔵庫外箱の前縁との間で醸し出している磁気吸引力を克服するには、相当の引張り力が必要であることは経験されているところである。満杯のビン類や缶詰類、小容器類を一杯載せたいがために収容棚に相当の荷重がかかっている場合では特にそうである。枢支回動式扉が冷蔵庫の上部に設置される傾向があるのを鑑みれば、満杯のビン類や缶詰類、小容器類など扉に相当の荷重がかかっている場合、扉の開閉操作は背の低いユ−ザにとっては相当の労働である。
【０００４】
図７は、特許文献１に記載された従来の冷蔵庫の扉開閉装置を示すものである。冷蔵庫扉６を開けるのに必要な力をできるだけ小さくするために、冷蔵庫扉６の中央部に手掛部１０と支点１１を有するハンドル２２と、前記ハンドル２２により可動する可動板２３とを設け、前記冷蔵庫扉６の開扉時に前記手掛部１０を手前に引くことにより前記ハンドル２２は前記支点１１を軸に回転して前記可動板２３を押し、前記可動板２３が前記冷蔵庫本体５の外箱２を押すものであり、てこの原理を利用して開扉力を軽くすることができるよう構成されている。
【特許文献１】特開２００２−２３８０８６号公報
【発明の開示】
【発明が解決しようとする課題】
【０００５】
しかしながら、上記のような構成では、てこ比の比率を優先するとハンドル機構内部の大きさの制約等により、ハンドルのデザインが大きく変わる。或いは、年々の扉収容棚への食品収容量の増加により開扉力が、てこ比を利用しても重くなっていくという課題を有していた。
【０００６】
本発明は上記課題を解決するもので、ハンドルを軽く触れるだけで、マイクロスイッチが入り、それと連動して扉側又は、ヒンジトップ側に設けられた歯車付きヒンジピンモーターが回転し、自動的に扉の開閉が行える冷蔵庫の扉開閉装置を提供することを目的とする。
【課題を解決するための手段】
【０００７】
上記従来の課題を解決するために、本発明の冷蔵庫の扉開閉装置は、扉枠部材と扉パネル及び断熱材とから構成され、冷蔵庫本体前面に、枢動軸を中心として回動可能に取り付けられた枢支回動式の扉であって、前記扉に手掛部と支点とスイッチ押部を有するハンドルと、前記扉の開閉時に、前記手掛部を手前に引くことにより、前記ハンドルは支点を軸に回転し、スイッチ押部の可動により、接点が入り・切りするマイクロスイッチを有するハンドル本体と、前記枢動軸側の冷蔵庫扉内部に前記マイクロスイッチの入り・切りにより駆動する歯車付きヒンジピンモーターとその相対する位置に前記歯車付きヒンジピンモーターの歯車部が嵌め合う穴が設けられたヒンジトップを有した構成としたものである。
【０００８】
これによって、ハンドルの前記手掛け部を手前に引くことにより前記ハンドルは前記支点を軸に回転して前記スイッチ押部が可動し、前記マイクロスイッチが入り、それと連動して扉側に設けられた歯車付きヒンジピンモーターが回転し、前記歯車の噛み合わせにより自動的に扉の開閉が行えるものである。
【０００９】
また、本発明の冷蔵庫の扉開閉装置は、扉枠部材と扉パネル及び断熱材とから構成され、冷蔵庫本体前面に、枢動軸を中心として回動可能に取り付けられた枢支回動式の扉であって、前記扉に手掛部と支点とスイッチ押部を有するハンドルと、前記扉の開閉時に、前記手掛部を手前に引くことにより、前記ハンドルは支点を軸に回転し、スイッチ押部の可動により、接点が入り・切りするマイクロスイッチを有するハンドル本体と、前記枢動軸側のヒンジトップ部に前記マイクロスイッチの入り・切りにより駆動する歯車付きヒンジピンモーターとその相対する位置に前記歯車付きヒンジピンモーターの歯車部が嵌め合う凹形状が設けられた扉を有する構成としたものである。
【００１０】
これによって、ハンドルの前記手掛け部を手前に引くことにより前記ハンドルは前記支点を軸に回転して前記スイッチ押部が可動し、前記マイクロスイッチが入り、それと連動してヒンジトップ側に設けられた歯車付きヒンジピンモーターが回転し、前記歯車の噛み合わせにより自動的に扉の開閉が行えるものである。
【発明の効果】
【００１１】
本発明の冷蔵庫の扉開閉装置は、ハンドルを軽く触れるだけで、マイクロスイッチが入り、それと連動して扉側又は、ヒンジトップ側に設けられた歯車付きヒンジピンモーターが回転し、自動的に扉の開閉を行えることができる。
【発明を実施するための最良の形態】
【００１２】
請求項１に記載の発明は、扉枠部材と扉パネル及び断熱材とから構成され、冷蔵庫本体前面に、枢動軸を中心として回動可能に取り付けられた枢支回動式の扉であって、前記扉に手掛部と支点とスイッチ押部を有するハンドルと、前記扉の開閉時に、前記手掛部を手前に引くことにより、前記ハンドルは支点を軸に回転し、スイッチ押部の可動により、接点が入り・切りするマイクロスイッチを有するハンドル本体と、前記枢動軸側の冷蔵庫扉内部に前記マイクロスイッチの入り・切りにより駆動する歯車付きヒンジピンモーターとその相対する位置に前記歯車付きヒンジピンモーターの歯車部が嵌め合う穴が設けられたヒンジトップを有するものであり、ハンドルの前記手掛け部を手前に軽く引くことで、前記ハンドルは前記支点を軸に回転して前記スイッチ押部が可動し、前記ハンドル内部のマイクロスイッチが入り、それと連動して扉側に設けられた歯車付きヒンジピンモーターが回転することにより、前記歯車の噛み合わせにて自動的に扉の開閉を行うことができる。
【００１３】
請求項２に記載の発明は、扉枠部材と扉パネル及び断熱材とから構成され、冷蔵庫本体前面に、枢動軸を中心として回動可能に取り付けられた枢支回動式の扉であって、前記扉に手掛部と支点とスイッチ押部を有するハンドルと、前記扉の開閉時に、前記手掛部を手前に引くことにより、前記ハンドルは支点を軸に回転し、スイッチ押部の可動により、接点が入り・切りするマイクロスイッチを有するハンドル本体と、前記枢動軸側のヒンジトップ部に前記マイクロスイッチの入り・切りにより駆動する歯車付きヒンジピンモーターとその相対する位置に前記歯車付きヒンジピンモーターの歯車部が嵌め合う凹形状が設けられた扉を有するものであり、ハンドルの前記手掛け部を手前に軽く引くことで、前記ハンドルは前記支点を軸に回転して前記スイッチ押部が可動し、前記ハンドル内部のマイクロスイッチが入り、それと連動してヒンジトップ側に設けられた歯車付きヒンジピンモーターが回転することにより、前記歯車の噛み合わせにて自動的に扉の開閉を行うことができる。
【００１４】
請求項３に記載の発明は、請求項１または２に記載された発明において、前記歯車付きヒンジピンモーターが正回転及び逆回転するものであり、前記扉が自動的に開及び閉できるものである。
【００１５】
請求項４に記載の発明は、請求項１から３のいずれか一項に記載の発明において、前記冷蔵庫扉内部又は、前記ヒンジトップ部に歯車付きヒンジピンモーターへの断熱材の浸入を防止するモーター収納箱或いはモーター固定部を設けたものであり、モーターの固定および断熱材の浸入を防止することができる。
【００１６】
以下、本発明の実施の形態について、図面を参照しながら説明する。なお、この実施の形態によってこの発明が限定されるものではない。
【００１７】
（実施の形態１）
図１は、本発明の実施の形態１における冷蔵庫扉開閉装置のハンドル部の断面図である。図２は、本発明の実施の形態１における冷蔵庫扉開閉装置の枢動軸側の部分説明図である。図３は、本発明の実施の形態１における冷蔵庫扉開閉装置の部分正面図を示すものである。図４は、本発明の実施の形態１における冷蔵庫扉開閉装置の枢動軸側、冷蔵庫扉開時の平面図を示すものである。
【００１８】
図１から図４において、内箱１と外箱２との間に断熱材３が充填された断熱箱体４によって構成された冷蔵庫本体５を示している。６は冷蔵庫扉であり、冷蔵庫本体５前面に軸支持され開閉可能に取り付けられており、上下の扉枠部材７と扉パネル８及び断熱材３とから構成されている。
【００１９】
９はハンドルで、冷蔵庫扉６の開放側部に、水平方向に伸びた手掛部１０を有し、冷蔵庫扉６開時の際、前記手掛部１０と支点１１とスイッチ押部１２を有し、手掛部１０を手前に引くことにより、支点１１を軸に回転し、スイッチ押部１２の可動により、接点が入り・切りするマイクロスイッチ１３を有するハンドル本体１４により、枢動軸１５側の冷蔵庫扉６内部に駆動する歯車付きヒンジピンモーター１６とその相対する位置に前記歯車付きヒンジピンモーター１６の歯車部１７が嵌め合う穴１８が設けられた、ヒンジトップ１９を有するように構成される。
【００２０】
以上のように構成された冷蔵庫の扉開閉装置について、以下その動作、作用を説明する。
【００２１】
まず、ハンドル９の前記手掛部１０を手前に軽く引くことで、前記ハンドル９は前記支点１１を軸に回転して前記スイッチ押部１２が可動し、前記ハンドル９内部のマイクロスイッチ１３が入り、それと連動して冷蔵庫扉６側に設けられた歯車付きヒンジピンモーター１６が回転することにより、前記歯車１７の噛み合わせにて自動的に扉の開閉を行うことができる。
【００２２】
また、歯車付きヒンジピンモーター１６が正回転及び逆回転することで、前記冷蔵庫扉６が自動的に開及び閉できる。
【００２３】
また、冷蔵庫扉６内部又は、前記ヒンジトップ１９部にモーター収納箱２０或いはモーター固定部２１を設けることにより、歯車付きヒンジピンモーター１６の固定及び断熱材３の浸入を防止することができる。
【００２４】
（実施の形態２）
図５は、本発明の実施の形態２における冷蔵庫扉開閉装置の枢動軸側図６Ｂ−Ｂ部の断面図を示すものである。図６は、本発明の実施の形態２における冷蔵庫扉開閉装置の枢動軸側の平面図を示すものである。
【００２５】
９はハンドルで、冷蔵庫扉６の開放側部に、水平方向に伸びた手掛部１０を有し、冷蔵庫扉６開時の際、前記手掛部１０と支点１１とスイッチ押部１２を有し、手掛部１０を手前に引くことにより、支点１１を軸に回転し、スイッチ押部１２の可動により、接点が入り・切りするマイクロスイッチ１３を有するハンドル本体１４により、前記枢動軸１５側のヒンジトップ１９部に駆動する歯車付きヒンジピンモーター１６とその相対する位置に前記歯車付きヒンジピンモーター１６の歯車部１７が嵌め合う凹形状２２が設けるように構成される。
【００２６】
以上のように構成された冷蔵庫の扉開閉装置について、以下その動作、作用を説明する。
【００２７】
まず、ハンドルの前記手掛部を手前に軽く引くことで、前記ハンドル９は前記支点１１を軸に回転して前記スイッチ押部１２が可動し、前記ハンドル９内部のマイクロスイッチ１３が入り、それと連動してヒンジトップ１２側に設けられた歯車付きヒンジピンモーター１６が回転し、前記歯車１７の噛み合わせにより自動的に扉の開閉を行うことができる。
【産業上の利用可能性】
【００２８】
以上のように本発明にかかる冷蔵庫の扉開閉装置は、ハンドルの手掛け部を手前に軽く引くことにより、ハンドルは支点を軸に回転してスイッチ押部が可動し、ハンドル内部のマイクロスイッチが入り、それと連動して扉の枢動軸側に設けられた歯車付きヒンジピンモーターが回転し、歯車の噛み合わせにより自動的に扉の開閉が可能となるので、電化製品全般の扉開閉装置として利用できる。
【図面の簡単な説明】
【００２９】
【図１】本発明の実施の形態１における冷蔵庫扉開閉装置のハンドル部の図３Ａ−Ａ部断面図
【図２】本発明の実施の形態１における冷蔵庫扉開閉装置の枢動軸側の部分説明図
【図３】本発明の実施の形態１における冷蔵庫扉開閉装置の部分正面図
【図４】本発明の実施の形態１における冷蔵庫扉開閉装置の枢動軸側、冷蔵庫扉開時の平面図
【図５】本発明の実施の形態２における冷蔵庫扉開閉装置の枢動軸側の図６Ｂ−Ｂ部断面図
【図６】本発明の実施の形態２における冷蔵庫扉開閉装置の枢動軸側の平面図
【図７】従来の冷蔵庫扉開閉装置ハンドル部の断面図
【符号の説明】
【００３０】
５    冷蔵庫本体
６    冷蔵庫扉
７    扉枠部材
８    扉パネル
９    ハンドル
１０  手掛部
１１  支点
１２  スイッチ部
１３  マイクロスイッチ
１４  ハンドル本体
１５  枢動軸
１６  歯車付きヒンジピンモーター
１７  歯車部
１８  嵌め合う穴
１９  ヒンジトップ
２０  モーター収納箱
２１  モーター固定部
２２  嵌め合う凹形状
【図１】
2005299314.tif 000003
【図２】
2005299314.tif 000004
【図３】
2005299314.tif 000005
【図４】
2005299314.tif 000006
【図５】
2005299314.tif 000007
【図６】
2005299314.tif 000008
【図７】
2005299314.tif 000009